(57)【特許請求の範囲】
【請求項１】
シングルキャリア直交周波数分割多重方式を用いて、発信源と少なくとも１つの受信機との間の無線リンクを推定できるようにするデータ及び情報を転送するための方法であって、
該方法は、前記発信源によって実行される以下のステップ：
−  データを時間領域から周波数領域に拡散するステップと、
−  前記拡散されたデータの少なくとも一部を少なくとも１つのパイロット系列に置き換えるステップであって、該少なくとも１つのパイロット系列がサンプリング周期の半分だけ時間的にシフトされる、置き換えるステップと、
−  前記少なくとも１つのパイロット系列に置き換えられない前記拡散されたデータ、及び、前記拡散されたデータを置き換える前記少なくとも１つのパイロット系列を、サブキャリア上にマッピングするステップと、
−  直交周波数分割多重変調されたシンボルを形成するために、前記マッピングされたデータ及び前記少なくとも１つのマッピングされたパイロット系列に対して、直交周波数分割多重変調を実行するステップと、
−  前記直交周波数分割多重変調されたシンボルを前記受信機に転送するステップと
を含むことを特徴とする、シングルキャリア直交周波数分割多重方式を用いて、発信源と少なくとも１つの受信機との間の無線リンクを推定できるようにするデータ及び情報を転送するための方法。
【請求項２】
前記少なくとも１つのパイロット系列は、前記少なくとも１つのパイロット系列にわたって離散フーリエ変換を実行した後に得られる振幅の変動が制限されるという特性を有することを特徴とする、請求項１に記載の方法。
【請求項３】
前記少なくとも１つのパイロット系列は、Ｚａｄｏｆｆ−Ｃｈｕ系列であることを特徴とする、請求項２に記載の方法。
【請求項４】
前記時間領域から周波数領域に拡散するのに先だって、
−  基本シンボルを形成するために、データを符号化して変調するステップと、
−  ２つの前記基本シンボルのうちの１つに対して、所定の角度値のコンスタレーションシフトを実行するステップと
をさらに含むことを特徴とする、請求項１〜３のいずれか一項に記載の方法。
【請求項５】
前記変調は４相位相変調であり、前記所定の値は４５に等しいことを特徴とする、請求項４に記載の方法。
【請求項６】
前記発信源は、前記直交周波数分割多重変調されたシンボルを転送するための１つのアンテナ又は複数のアンテナを有することを特徴とする、請求項１〜５のいずれか一項に記載の方法。
【請求項７】
前記方法は、複数の連続したシングルキャリア直交周波数分割多重変調シンボルに対して実行されることを特徴とする、請求項１〜６のいずれか一項に記載の方法。
【請求項８】
シングルキャリア直交周波数分割多重方式を用いて発信源と受信機との間の無線リンクを推定するための方法であって、
該方法は、前記受信機によって実行される以下のステップ：
−  シンボルを受信するステップと、
−  前記受信されたシンボルを時間領域から周波数領域に変換するステップであって、前記受信されたシンボルはデータ及び少なくとも１つのパイロット系列によって形成され、該データ及び該パイロット系列は前記リンクのサブキャリア上にマッピングされており、前記少なくとも１つのパイロット系列がサンプリング周期の半分だけ時間的にシフトされるか、又は、前記データがサンプリング周期の半分だけ時間的にシフトされる、変換するステップと、
−  前記少なくとも１つのパイロット系列がマッピングされたサブキャリア上、及び、前記データがマッピングされたサブキャリア上において、前記リンクを推定するステップと、
−  前記少なくとも１つのパイロット系列の各要素を、信頼性情報が０に設定された要素に置き換えるステップと、
−  前記データがマッピングされた前記サブキャリア上、及び、前記要素がマッピングされた各サブキャリア上において、前記リンクの等化を実行するステップと
を含むことを特徴とする、シングルキャリア直交周波数分割多重方式を用いて発信源と受信機との間の無線リンクを推定するための方法。
【請求項９】
前記少なくとも１つのパイロット系列は、前記少なくとも１つのパイロット系列にわたって離散フーリエ変換を実行した後に得られる振幅の変動が制限されるという特性を有することを特徴とする、請求項８に記載の方法。
【請求項１０】
シングルキャリア直交周波数分割多重方式を用いて、発信源と少なくとも１つの受信機との間の無線リンクを推定できるようにするデータ及び情報を転送するためのデバイスであって、
該デバイスは、前記発信源に含まれ、
−  データを時間領域から周波数領域に拡散する手段と、
−  前記拡散されたデータの少なくとも一部を少なくとも１つのパイロット系列に置き換える手段であって、該少なくとも１つのパイロット系列がサンプリング周期の半分だけ時間的にシフトされる、置き換える手段と、
−  前記少なくとも１つのパイロット系列に置き換えられない前記拡散されたデータ、及び、前記拡散されたデータを置き換える前記少なくとも１つのパイロット系列を、サブキャリア上にマッピングする手段と、
−  直交周波数分割多重変調されたシンボルを形成するために、前記マッピングされたデータ及び前記少なくとも１つのマッピングされたパイロット系列に対して、直交周波数分割多重変調を実行する手段と、
−  前記直交周波数分割多重変調されたシンボルを前記受信機に転送する手段と
を備えることを特徴とする、シングルキャリア直交周波数分割多重方式を用いて、発信源と少なくとも１つの受信機との間の無線リンクを推定できるようにするデータ及び情報を転送するためのデバイス。
【請求項１１】
シングルキャリア直交周波数分割多重方式を用いて発信源と受信機との間の無線リンクを推定するためのデバイスであって、
該デバイスは、前記受信機に含まれ、
−  シンボルを受信する手段と、
−  前記受信されたシンボルを時間領域から周波数領域に変換する手段であって、前記受信されたシンボルはデータ及び少なくとも１つのパイロット系列によって形成され、該データ及び該パイロット系列は前記リンクのサブキャリア上にマッピングされており、前記少なくとも１つのパイロット系列がサンプリング周期の半分だけ時間的にシフトされるか、又は、前記データがサンプリング周期の半分だけ時間的にシフトされる、変換する手段と、
−  前記少なくとも１つのパイロット系列がマッピングされたサブキャリア上、及び、前記データがマッピングされたサブキャリア上において、前記リンクを推定する手段と、
−  前記少なくとも１つのパイロット系列の各要素を、信頼性情報が０に設定された要素に置き換える手段と、
−  前記データがマッピングされた前記サブキャリア上、及び、前記要素がマッピングされた各サブキャリア上において、前記リンクの等化を実行する手段と
を備えることを特徴とする、シングルキャリア直交周波数分割多重方式を用いて発信源と受信機との間の無線リンクを推定するためのデバイス。
【請求項１２】
プログラム可能デバイス内に直接ロード可能であるコンピュータープログラムであって、該コンピュータープログラムがプログラム可能デバイス上で実行されるときに、請求項１〜７のいずれか一項に記載の方法のステップを実施するための命令又はコード部を含む、コンピュータープログラム。
【請求項１３】
プログラム可能デバイス内に直接ロード可能であるコンピュータープログラムであって、該コンピュータープログラムがプログラム可能デバイス上で実行されるときに、請求項８及び９のいずれか一項に記載の方法のステップを実施するための命令又はコード部を含む、コンピュータープログラム。
【発明の詳細な説明】
【技術分野】
【０００１】
本発明は、包括的には、シングルキャリア直交周波数分割多重方式を用いて発信源と受信機との間の無線リンクを推定できるようにするデータ及び情報を転送するための方法及びデバイスに関する。
【背景技術】
【０００２】
シングルキャリア直交周波数分割多重変調方式は、直交周波数分割多重タイプの多重化を用いるが、シングルキャリアのような包絡線を有する変調方式である。この変調方式は、時間領域又は周波数領域のいずれかにおいて実施することができ、離散フーリエ変換拡散直交周波数分割多重とも呼ばれる。
【０００３】
直交周波数分割多重に関する主な利点は、離散フーリエ変換プリコーディングが信号のシングルキャリア特性、すなわち低いピーク対平均電力比を復元することである。
【０００４】
発信源と受信機との間の無線リンクの推定値を求められるようにするために、パイロット系列の送信が必要となる。一般的には、送信される信号のピーク対平均電力比構成を完全に劣化させることなくシングルキャリア直交周波数分割多重変調方式のデータにパイロット系列を散在させることはできないと考えられている。
【０００５】
そのため、非特許文献１では、パイロット系列は全てのサブキャリア上にマッピングされ、パイロットシンボルとして参照される。このようなパイロットシンボルは、フレーム内に規則的に挿入される。この場合、チャネル推定を実行する古典的な方法は、パイロットシンボル位置においてチャネルを推定することであり、最終的には、２つのパイロットシンボル間の時間補間を実行することによって、全ての位置においてチャネルが推定される。
【０００６】
この古典的な方法の欠点は、時間補間において現れる。データスループットを過度に低下させないために、挿入されるパイロットシンボルの数を制限しなければならない。たとえば、パイロット挿入レートが１／１２である場合には、１２個の直交周波数分割多重シンボル毎に１つのパイロットシンボルが挿入されることを意味する。これは、システムが、たとえばドップラー効果に起因する信号のチャネル変動に追従する能力を制限する。
【０００７】
ナイキスト定理によれば、直交周波数分割多重レートが１／Ｔｓである場合には、最大許容ドップラー周波数の限度は以下の式に等しい。
【０００８】
【数１】
0005986355.tif 000002
【０００９】
この限度はパイロット構成そのものに起因しており、関連する推定方法には依らない。
【先行技術文献】
【非特許文献】
【００１０】
【非特許文献１】3GPP TSG-RAN, "TR 25.814:"Physical Layer Aspects for Evolved UTRA", Version 7.1.0, 2006-09
【発明の概要】
【発明が解決しようとする課題】
【００１１】
本発明は、シングルキャリア直交周波数分割多重変調方式の低いピーク対平均電力比構成を保持しながら、チャネル変動に良好に追従できるようにする方法及びデバイスを提供することを目的とする。
【課題を解決するための手段】
【００１２】
この目的のために、本発明は、シングルキャリア直交周波数分割多重方式を用いて、発信源と少なくとも１つの受信機との間の無線リンクを推定できるようにするデータ及び情報を転送するための方法に関する。
この方法は、発信源によって実行される以下のステップ：
−  データを時間領域から周波数領域に拡散するステップと、
−  拡散されたデータの少なくとも一部を少なくとも１つのパイロット系列に置き換えるステップと、
−  少なくとも１つのパイロット系列に置き換えられない拡散されたデータ、及び、拡散されたデータを置き換える少なくとも１つのパイロット系列を、サブキャリア上にマッピングするステップと、
−  直交周波数分割多重変調されたシンボルを形成するために、マッピングされたデータ及び少なくとも１つのマッピングされたパイロット系列に対して、直交周波数分割多重変調を実行するステップと、
−  直交周波数分割多重変調されたシンボルを受信機に転送するステップと
を含むことを特徴とする。
【００１３】
また、本発明は、シングルキャリア直交周波数分割多重方式を用いて、発信源と少なくとも１つの受信機との間の無線リンクを推定できるようにするデータ及び情報を転送するためのデバイスにも関する。
このデバイスは、発信源に含まれ、
−  データを時間領域から周波数領域に拡散する手段と、
−  拡散されたデータの少なくとも一部を少なくとも１つのパイロット系列に置き換える手段と、
−  少なくとも１つのパイロット系列に置き換えられない拡散されたデータ、及び、拡散されたデータを置き換える少なくとも１つのパイロット系列を、サブキャリア上にマッピングする手段と、
−  直交周波数分割多重変調されたシンボルを形成するために、マッピングされたデータ及び少なくとも１つのマッピングされたパイロット系列に対して、直交周波数分割多重変調を実行する手段と、
−  直交周波数分割多重変調されたシンボルを受信機に転送する手段と
を備えることを特徴とする。
【００１４】
したがって、データとパイロット系列が併合されるので、データスループットを低下させることなく、パイロット系列挿入の周期性を高めることができ、シングルキャリア直交周波数分割多重変調方式における低いピーク対平均電力比構成を保持しながら、チャネル変動及び／又は同期に対してさらに効率的に追従する。
【００１５】
本発明者は、拡散されたデータの一部を少なくとも１つのパイロット系列に置き換えることによって、シングルキャリア直交周波数分割多重変調方式における低いピーク対平均電力比構成が保持されることを見出した。
【００１６】
特定の特徴によれば、少なくとも１つのパイロット系列は、当該少なくとも１つのパイロット系列にわたって離散フーリエ変換を実行した後に得られる振幅の変動が制限されるという特徴を有する。
【００１７】
したがって、ピーク対平均電力比が向上する。
【００１８】
特定の特徴によれば、少なくとも１つのパイロット系列がサンプリング周期の半分だけ時間的にシフトされるか、又は、少なくとも１つのパイロット系列に置き換えられない拡散されたデータがサンプリング周期の半分だけ時間的にシフトされる。
【００１９】
したがって、ピーク対平均電力比が向上する。
【００２０】
本発明者は、時間次元におけるグローバル信号は、２つの多重化された信号、すなわち、データとパイロット系列の和に対応することを見出した。時間次元における補間は線形過程であるので、補間されたグローバル信号も２つの信号、すなわち、補間されたデータ信号と補間されたパイロット信号の和に対応する。
【００２１】
時間次元内のデータに対して、補間が実行されずにｘ相位相変調コンスタレーションが用いられる場合には、サンプル周期毎に一定の振幅が得られ、補間後の最大ピークはこれらの時刻のちょうど中間に配置される。同じ現象は、整数のサンプリング周期だけシフトされる少なくとも１つのパイロット系列にわたって離散フーリエ変換を実行した後にも概ね一定の振幅が得られるという特性を有するパイロット系列の場合にも生じる。
【００２２】
それゆえ、この場合、２つの信号が加算され、そのピークは同じ位置に配置される。パイロット系列、又は、少なくとも１つのパイロット系列に置き換えられない拡散されたデータを、サンプリング周期の半分だけ時間的にシフトすることによって、各信号のピークがインターリーブされる。これは、グローバル信号のピーク、すなわち、両者の和が低減されることを意味する。
【００２３】
一定でないコンスタレーション、たとえば１６直交振幅変調又は６４直交振幅変調が用いられる場合には、振幅はサンプル周期毎にもはや一定ではない。しかしながら、それらのピークは依然として同じ位置、すなわち、これらの時刻のちょうど中間に配置されることになり、グローバル信号のピークは依然として、パイロット系列を修正することによって低減されることになる。
【００２４】
特定の特徴によれば、少なくとも１つのパイロット系列は、Ｚａｄｏｆｆ−Ｃｈｕ系列である。
【００２５】
したがって、ピーク対平均電力比が向上する。
【００２６】
特定の特徴によれば、この方法は、時間領域から周波数領域に拡散するのに先だって、
−  基本シンボルを形成するために、データを符号化して変調するステップと、
−  ２つの基本シンボルのうちの１つに対して、所定の角度値のコンスタレーションシフトを実行するステップと
をさらに含む。
【００２７】
したがって、ピーク対平均電力比が向上する。
【００２８】
特定の特徴によれば、変調は４相位相変調であり、所定の値は４５に等しい。
【００２９】
したがって、ピーク対平均電力比が向上する。
【００３０】
特定の特徴によれば、発信源は、直交周波数分割多重変調されたシンボルを転送するための１つのアンテナ又は複数のアンテナを有する。
【００３１】
したがって、ピーク対平均電力比が向上する。
【００３２】
特定の特徴によれば、この方法は、複数の連続したシングルキャリア直交周波数分割多重変調シンボルに対して実行される。
【００３３】
また、本発明は、シングルキャリア直交周波数分割多重方式を用いて発信源と受信機との間の無線リンクを推定するための方法にも関する。
この方法は、受信機によって実行される以下のステップ：
−  シンボルを受信するステップと、
−  受信されたシンボルを時間領域から周波数領域に変換するステップであって、当該受信されたシンボルはデータ及び少なくとも１つのパイロット系列によって形成され、データ及びパイロット系列はリンクのサブキャリア上にマッピングされている、変換するステップと、
−  少なくとも１つのパイロット系列がマッピングされたサブキャリア上、及び、データがマッピングされたサブキャリア上において、リンクを推定するステップと、
−  少なくとも１つのパイロット系列の各要素を、信頼性情報が０に設定された要素に置き換えるステップと、
−  データがマッピングされたサブキャリア上、及び、要素がマッピングされた各サブキャリア上において、リンクの等化を実行するステップと
を含むことを特徴とする。
【００３４】
また、本発明は、シングルキャリア直交周波数分割多重方式を用いて発信源と受信機との間の無線リンクを推定するためのデバイスにも関する。
このデバイスは、受信機に含まれ、
−  シンボルを受信する手段と、
−  受信されたシンボルを時間領域から周波数領域に変換する手段であって、当該受信されたシンボルはデータ及び少なくとも１つのパイロット系列によって形成され、データ及びパイロット系列はリンクのサブキャリア上にマッピングされている、変換する手段と、
−  少なくとも１つのパイロット系列がマッピングされたサブキャリア上、及び、データがマッピングされたサブキャリア上において、リンクを推定する手段と、
−  少なくとも１つのパイロット系列の各要素を、信頼性情報が０に設定された要素に置き換える手段と、
−  データがマッピングされたサブキャリア上、及び、要素がマッピングされた各サブキャリア上において、リンクの等化を実行する手段と
を備えることを特徴とする。
【００３５】
したがって、通信の全体性能を過度に低下させることなく、無線リンクを推定するか、又は同期を実行することができる。少なくとも１つのパイロット系列の各要素を、信頼性情報が０に設定された要素に置き換えることにより、発信源において実行されるパンクチャリングによって、受信機における等化の性能は劣化しないか、又は過度には劣化しない。
【００３６】
特定の特徴によれば、少なくとも１つのパイロット系列は、少なくとも１つのパイロット系列にわたって離散フーリエ変換を実行した後に得られる振幅の変動が制限されるという特性を有する。
【００３７】
したがって、ピーク対平均電力比が向上する。
【００３８】
特定の特徴によれば、少なくとも１つのパイロット系列がサンプリング周期の半分だけ時間的にシフトされるか、又は、少なくとも１つのパイロット系列に置き換えられない拡散されたデータがサンプリング周期の半分だけ時間的にシフトされる。
【００３９】
したがって、ピーク対平均電力比が向上する。
【００４０】
さらに別の態様によれば、本発明は、プログラム可能デバイス内に直接ロード可能であるコンピュータープログラムにも関する。このコンピュータープログラムは、プログラム可能デバイス上で実行されたときに本発明による方法のステップを実施するための命令又はコードの一部を含む、
【００４１】
コンピュータープログラムに関連する特徴及び利点は、本発明による方法及びデバイスに関連して上記で記述されたのと同じであるので、ここでは繰り返さない。
【００４２】
本発明の特徴は、一例の実施形態に関する以下の説明を読むことからさらに明らかになり、この説明は添付の図面を参照しながら提示される。
【図面の簡単な説明】
【００４３】
【図１】本発明が実施される無線リンクを表す図である。
【図２】本発明が実施される発信源のアーキテクチャを表す図である。
【図３】発信源の無線インターフェースの構成要素のブロック図である。
【図４】本発明による、発信源のフレームビルダーのブロック図である。
【図５ａ】本発明による、パイロット系列とデータの併合の第１の例の図である。
【図５ｂ】本発明による、パイロット系列とデータの併合の第２の例の図である。
【図６】本発明が実施される受信機のアーキテクチャを表す図である。
【図７】受信機の無線インターフェースの構成要素のブロック図である。
【図８】本発明による、発信源によって実行されるアルゴリズムの一例の図である。
【図９】本発明による、受信機によって実行されるアルゴリズムの一例の図である。
【発明を実施するための形態】
【００４４】
図１は、本発明が実施される無線リンクを表す図である。
【００４５】
本発明は、発信源Ｓｒｃによって転送される信号が受信機Ｒｅｃに対してブロードキャストされる例において開示される。発信源Ｓｒｃは、衛星Ｓｔに含めることもできるし、陸上送信機Ｔｔに含めることもできる。
【００４６】
簡単にするために、図１には１つの衛星Ｓｔ及び１つの陸上送信機Ｓｔしか示されていないが、無線リンクはさらに多くの数の衛星Ｓｔ及び／又は陸上送信機Ｓｔを含むこともできる。
【００４７】
簡単にするために、図１には１つの受信機Ｒｅｃしか示されていないが、さらに多くの数の受信機Ｒｅｃに信号がブロードキャストされる。
【００４８】
受信機Ｒｅｃは、ビデオ信号のようなデータがブロードキャストされる移動電話とすることができる。
【００４９】
発信源と１つの受信機との間の無線リンクを推定できるようにするデータ及び情報は、シングルキャリア直交周波数分割多重方式（ＳＣ−ＯＦＤＭ）を用いて転送される。
【００５０】
本発明によれば、発信源Ｓｒｃは：
−  データを時間領域から周波数領域に拡散し、
−  拡散されたデータの少なくとも一部を少なくとも１つのパイロット系列に置き換え、
−  少なくとも１つのパイロット系列に置き換えられなかった拡散されたデータ、及び、拡散されたデータを置き換えた少なくとも１つのパイロット系列を、サブキャリア上にマッピングし、
−  直交周波数分割多重変調されたシンボルを形成するために、マッピングされたデータ及び少なくとも１つのマッピングされたパイロット系列に対して、直交周波数分割多重変調を実行し、
−  直交周波数分割多重変調されたシンボルを受信機に転送する。
【００５１】
本発明によれば、受信機Ｒｅｃは：
−  シンボルを受信し、
−  受信されたシンボルを時間領域から周波数領域に変換し、ただし、受信されたシンボルはデータ及び少なくとも１つのパイロット系列によって形成されており、データ及びパイロット系列はリンクのサブキャリア上にマッピングされており、
−  少なくとも１つのパイロット系列がマッピングされたサブキャリア、及び、データがマッピングされたサブキャリアにおいて、リンクを推定し、
−  少なくとも１つのパイロット系列の各要素を、信頼性情報が０に設定された要素に置き換え、
−  データがマッピングされたサブキャリア上、及び、１つの要素がマッピングされた各サブキャリア上において、リンクの等化を実行する。
【００５２】
図２は、本発明が実施される発信源のアーキテクチャを表す図である。
【００５３】
発信源Ｓｒｃは、たとえば、バス２０１によって互いに接続される構成要素と、図８において開示されるプログラムによって制御されるプロセッサ２００とに基づくアーキテクチャを有する。
【００５４】
発信源Ｓｒｃは、専用の集積回路に基づくアーキテクチャを有することもできることに留意されたい。
【００５５】
バス２０１は、プロセッサ２００を、リードオンリーメモリＲＯＭ２０２、ランダムアクセスメモリＲＡＭ２０３、及び無線インターフェース２０５に接続する。
【００５６】
メモリ２０３は、図８において開示されるようなアルゴリズムに関連するプログラムの変数及び命令を受信するように意図されるレジスタを含む。
【００５７】
プロセッサ２００は、無線インターフェース２０５の動作を制御する。
【００５８】
リードオンリーメモリ２０２は、図８において開示されるようなアルゴリズムに関連するプログラムの命令を含み、この命令は発信源Ｓｒｃが起動される際にランダムアクセスメモリ２０３に転送される。
【００５９】
無線インターフェース２０５は、拡散されたデータをパンクチャリングする手段と、パンクチャリングされたデータを少なくとも１つのパイロット系列に置き換える手段と、データ及び本発明による少なくとも１つのパイロット系列を少なくとも１つの受信機Ｒｅｃに転送する手段とを備える。
【００６０】
無線インターフェース２０５は、図３に開示される構成要素を備える。
【００６１】
図３は、発信源の無線インターフェースの構成要素のブロック図を開示する。
【００６２】
送信されるデータは、１組のデータ基本シンボルを与える符号化及び変調モジュール３０によって、インターリーブされ、符号化され、データ基本シンボルとして編成される。
【００６３】
実現形態の１つの変形では、符号化及び変調モジュール３０は、２つのデータ基本シンボルのうちの１つに対して所定の角度値のコンスタレーションシフトを実行する。
【００６４】
変調が４相位相変調である場合には、所定の値は４５に等しい。
【００６５】
その後、拡散されたデータシンボルで構成される拡散データブロックを形成するために、データ基本シンボルは、ＤＦＴ（離散フーリエ変換）モジュール３１によって周波数領域に拡散される。１つの変形形態では、ＤＦＴモジュールは、高速フーリエ変換モジュール又は任意の他の処理モジュールに置き換えられる。
【００６６】
少なくとも１つの拡散データブロックが、フレームビルダー３２によってパンクチャリングされる。
【００６７】
フレームビルダー３２は、拡散データブロックのパンクチャリングされた部分を、少なくとも１つのパイロット系列に置き換える。拡散データシンボルの残りの部分及び少なくとも１つのパイロット系列は、ハイブリッドブロックを形成するために、フレームビルダー３２によって周波数帯域内のサブキャリア上にマッピングされる。フレームビルダー３２は、図４を参照しながら、さらに詳細に開示される。
【００６８】
１つ又は複数のアンテナを通して転送されるのに先だって、各ハイブリッドブロック及びパンクチャリングされていない各拡散データブロックは、ＳＣ−ＯＦＤＭシンボルを形成するためにＯＦＤＭ変調モジュール３３によって処理される。
【００６９】
発信源Ｓｒｃのアンテナを通して送信する前に、図３には示されないオプションのサイクリックプレフィックス挿入モジュールを適用することもできる。
【００７０】
ＳＣ−ＯＦＤＭシンボルは、データ基本シンボルを第１の拡散モジュールによって時間領域から周波数領域に拡散し、拡散データシンボルをパンクチャリングするか又はパンクチャリングせず、ハイブリッドブロックを形成するために拡散データブロックのパンクチャリングされた部分を少なくとも１つのパイロット系列に置き換え、ハイブリッドブロック又はパンクチャリングされていない拡散データブロックを周波数帯域内のサブキャリア上にマッピングし、マッピングされたハイブリッドブロック又はパンクチャリングされずにマッピングされた拡散データブロックを、直交周波数分割多重モジュールを用いて変調することによって得られる。
【００７１】
図４は、本発明による、発信源のフレームビルダーのブロック図を開示する。
【００７２】
フレームビルダー３２は、パイロット系列生成モジュール４０を備える。パイロット系列は、そのような系列にわたってＤＦＴを実行した後も概ね一定の振幅が得られるという特性を有する。すなわち、パイロット系列は、少なくとも１つのパイロット系列にわたって離散フーリエ変換を実行した後に得られる振幅の変動が制限されるという特性を有する。
【００７３】
振幅が一定であるか、又は大きくても平均振幅値から＋５０％しか変動しない場合に、振幅の変動が制限されている。
【００７４】
振幅は絶対値であり、２のべき乗ではないことに留意されたい。
【００７５】
たとえば、パイロット系列は、Ｚａｄｏｆｆ−Ｃｈｕ系列のような系列である。Ｚａｄｏｆｆ−Ｃｈｕ系列は、３つの整数Ｎ、ｐ、及びｌによってパラメータ化される。
【００７６】
Ｚａｄｏｆｆ−Ｃｈｕ系列は以下の公式から導出される。
【００７７】
【数２】
0005986355.tif 000003
【００７８】
ただし、Ｎは系列の長さであり、ｐは系列のインデックスであり、ｌは系列の（時間）シフトである。
【００７９】
ｌが０に等しい場合には、その系列は根（ｐ）系列として知られる。
【００８０】
Ｚａｄｏｆｆ−Ｃｈｕ系列は、完全な自己相関性、ｐ及びｌを変更することによる良好な相互相関性、並びに、時間次元及び周波数次元の両方における低い包絡線変動のような、幾つかの興味深い特徴を提供する。
【００８１】
１つの変形形態では、少なくとも１つのパイロット系列は、ＥＴＳＩ  ＥＴＳ  ３００  ４０１（第２版、１９９７年５月）又はＥＴＳＩ  ＥＮ  ３００  ４０１（Ｖ１．４．１、２００６年６月）の文献「Radio broadcasting systems; Digital Audio Broadcasting （DAB) to mobile, portable and fixed receivers」において開示されるような系列である。
【００８２】
本発明の特定の実現形態によれば、フレームビルダー３２は、パイロット系列をサンプリング周期持続時間の半分だけシフトするための半周期シフトモジュール４１を備える。
【００８３】
本発明の特定の実現形態によれば、フレームビルダー３２は、パイロット系列の代わりにデータをサンプリング周期持続時間の半分だけシフトするための、図４には示されない半周期シフトモジュールを備える。
【００８４】
たとえば、Ｚａｄｏｆｆ−Ｃｈｕ系列が用いられる場合には、半周期シフトモジュール４１によって与えられる系列は以下のようになる。
【００８５】
【数３】
0005986355.tif 000004
【００８６】
サンプル周期の半分の時間シフトは、周波数領域においては、−πｋ／Ｎに等しい位相勾配に対応する。
【００８７】
ここで、半周期シフトモジュール４１によって与えられる系列は以下のように表すこともできることに留意されたい。
【００８８】
【数４】
0005986355.tif 000005
【００８９】
シフトされたパイロット系列は、拡散データシンボルの部分がパンクチャリングされなければマッピングされていたはずであるサブキャリア上に、置換モジュール４２によってマッピングされる。
【００９０】
フレームビルダー３２はマルチプレクサ４４を備えており、マルチプレクサは、置換モジュール４２の出力と、たとえばＮｕｌｌデータとを多重化し、ハイブリッドブロック及びＮｕｌｌデータを、周波数帯域内に含まれるサブキャリア上にマッピングする。
【００９１】
置換モジュール４２とマルチプレクサ４４は、制御部４３によって制御される。
【００９２】
フレームビルダー３２は、拡散されたデータをパンクチャリングするパンクチャリングモジュール４６を備える。
【００９３】
パンクチャリングモジュール４６の出力は、置換モジュール４２に接続される。
【００９４】
本発明は、たとえば、「A simple transmit diversity technique for wireless communications」と題する論文（IEEE J. Select. Areas Communications, vol. 16, pp. 1451-1458, October 1998）においてS. M. Almoutiによって提案されている２つ以上の送信アンテナを用いる伝送方式のような多入力多出力（ＭＩＭＯ）伝送方式においても適用可能である。
【００９５】
異なるアンテナに対して、異なるＺａｄｏｆｆ−Ｃｈｕ系列を用いることもできる。アンテナが２つの場合、ｘkが周波数領域において規定されるパイロット系列である場合には、第２のアンテナはパイロット系列（−１）kｘkｅiθを送信する。ただし、ｋは第１のアンテナによって送信されるサブキャリアのインデックスであり、θは所定の定数値である。
【００９６】
図５ａは、本発明による、パイロット系列とデータの併合の第１の例を開示する。
【００９７】
時間領域を表す水平軸上には、Ｓｙ１〜Ｓｙ１６で示される複数のＳＣ−ＯＦＤＭシンボルが表されている。
【００９８】
垂直軸は、ＳＣ−ＯＦＤＭシンボルがマッピングされるサブキャリアＳｃ１〜Ｓｃ１１を表す。
【００９９】
図５ａは一例であり、１１個のサブキャリアが示されている。本発明は、サブキャリアがこれよりも多くても、少なくても適用可能である。
【０１００】
縦線のハッチングを施されている正方形は、所与のＳＣ−ＯＦＤＭシンボルについて、少なくとも１つのパイロット系列がマッピングされるサブキャリアを表す。
【０１０１】
他の正方形は、データがマッピングされるサブキャリアを表す。
【０１０２】
図５ａの例では、連続的なパイロット系列が示されている。連続的なパイロット系列は、１フレーム内の全ての又は概ね全てのＯＦＤＭシンボルについて、所与の１組の周波数内に挿入される。この挿入は、周波数領域において規則的にすることもできるし、不規則にすることもできるが、時間領域においては規則的である。連続的なパイロット系列は、受信機段において受信機信号の周波数ドリフトを推定する際に、それゆえ、自動周波数制御を実行する際に、又は位相雑音を補正する際に有用である。
【０１０３】
図５ａの例において、パイロット系列は、サブキャリアＳｃ２、Ｓｃ７、及びＳｃ１０上に連続的にマッピングされる。
【０１０４】
ここで、ＳＣ−ＯＦＤＭシンボルＳｙ１〜Ｓｙ１６のサブキャリアＳｃ２、Ｓｃ７及びＳｃ１０上に、同一のパイロット系列をマッピングすることもできるし、ＳＣ−ＯＦＤＭシンボルＳｙ１〜Ｓｙ１６のサブキャリアＳｃ２、Ｓｃ７、及びＳｃ１０上に、異なるパイロット系列をマッピングすることもできることに留意されたい。
【０１０５】
図５ｂは、本発明による、パイロット系列とデータの併合の第２の例を開示する。
【０１０６】
時間領域を表す水平軸上には、Ｓｙ１〜Ｓｙ１６で示される複数のＳＣ−ＯＦＤＭシンボルが表されている。
【０１０７】
垂直軸は、ＳＣ−ＯＦＤＭシンボルがマッピングされるサブキャリアＳｃ１〜Ｓｃ１１を表す。
【０１０８】
図５ｂは一例であり、１１個のサブキャリアが示されている。本発明は、サブキャリアがこれよりも多くても、少なくても適用可能である。
【０１０９】
縦線のハッチングを施されている正方形は、所与のＳＣ−ＯＦＤＭシンボルについて、少なくとも１つのパイロット系列がマッピングされるサブキャリアを表す。
【０１１０】
他の正方形は、データがマッピングされるサブキャリアを表す。
【０１１１】
図５ｂの例では、６個のＳＣ−ＯＦＤＭシンボル内の１つのＳＣ−ＯＦＤＭシンボルは、少なくとも１つのシフトされたパイロット系列で構成され、このパイロット系列は、ＳＣ−ＯＦＤＭシンボルがマッピングされるサブキャリアの２つのうちの１つのサブキャリア上にマッピングされる。データは、他のサブキャリア上にマッピングされる。
【０１１２】
ＳＣ−ＯＦＤＭシンボルＳｙ１、Ｓｙ７、及びＳｙ１３は、散在するパイロット系列を含み、サブキャリアＳｃ１、Ｓｃ３、ＳＣ５、Ｓｃ７、Ｓｃ９、及びＳｃ１１上にマッピングされる少なくとも１つのパイロット系列と、サブキャリアＳｃ２、Ｓｃ４、Ｓｃ６、Ｓｃ８、及びＳｃ１０上にマッピングされるデータとで構成される。
【０１１３】
ここで、ＳＣ−ＯＦＤＭシンボルＳｙ１、Ｓｙ７、及びＳｙ１３のサブキャリアＳｃ１、Ｓｃ３、ＳＣ５、Ｓｃ７、Ｓｃ９、及びＳｃ１１上には、同一のパイロット系列をマッピングすることもできるし、ＳＣ−ＯＦＤＭシンボルＳｙ１、Ｓｙ７、及びＳｙ１３のサブキャリアＳｃ１、Ｓｃ３、ＳＣ５、Ｓｃ７、Ｓｃ９、及びＳｃ１１上には、異なるパイロット系列をマッピングすることもできることに留意されたい。
【０１１４】
ＳＣ−ＯＦＤＭシンボルＳｙ２〜Ｓｙ６、Ｓｙ８〜Ｓｙ１２、及びＳｙ１４〜Ｓｙ１６は、サブキャリアＳｃ１〜Ｓｃ１１上にマッピングされるデータで構成される。
【０１１５】
散在するパイロット系列を含むハイブリッドシンボルは、チャネル推定のために有用である。
【０１１６】
パイロット系列の挿入は、周波数領域及び／又は時間領域において、規則的にすることもできるし、不規則にすることもできる。
【０１１７】
ここで、図５ａの第１の例と図５ｂの第２の例を組み合わせる場合にも、本発明は適用可能であることに留意されたい。
【０１１８】
図６は、本発明が実施される受信機のアーキテクチャを表す図である。
【０１１９】
受信機Ｒｅｃは、たとえば、バス６０１によって互いに接続される構成要素と、図９において開示されるプログラムによって制御されるプロセッサ６００とに基づくアーキテクチャを有する。
【０１２０】
受信機Ｒｅｃは、専用の集積回路に基づくアーキテクチャを有することもできることに留意されたい。
【０１２１】
バス６０１は、プロセッサ６００を、リードオンリーメモリＲＯＭ６０２、ランダムアクセスメモリＲＡＭ６０３、及び無線インターフェース６０５に接続する。
【０１２２】
メモリ６０３は、図９において開示されるようなアルゴリズムに関連するプログラムの変数及び命令を受信するように意図されるレジスタを含む。
【０１２３】
プロセッサ６００は、無線インターフェース６０５の動作を制御する。
【０１２４】
リードオンリーメモリ６０２は、図９において開示されるようなアルゴリズムに関連するプログラムの命令を含み、この命令は、受信機Ｒｅｃが起動される際にランダムアクセスメモリ６０３に転送される。
【０１２５】
無線インターフェース６０５は、本発明による、多重化されたデータ及びパイロット系列を受信機Ｒｅｃに転送する手段を備える。
【０１２６】
無線インターフェース６０５は、図７において開示されるような構成要素を備える。
【０１２７】
図７は、周波数領域における本発明の実施態様の一例を開示する。
【０１２８】
無線インターフェース６０５は同期モジュール７０１を備えており、同期モジュールは、無線インターフェース６０５のＤＦＴモジュール７００及びチャネル推定モジュール７０２を、受信されたシンボルに同期させる役割を果たす。
【０１２９】
ＤＦＴモジュール７００は、受信されたシンボルを時間領域から周波数領域に変換し、受信拡散データｙkを生成する。ただし、ｋはサブキャリアのインデックスを表す。
【０１３０】
変換された受信シンボルは、チャネル推定モジュール７０２及び等化係数計算モジュール７０３に与えられる。
【０１３１】
チャネル推定モジュール７０２は、データがマッピングされたサブキャリア上での発信源Ｓｒｃと受信機Ｒｅｃとの間のチャネルを推定するために、散在するパイロット系列位置において発信源Ｓｒｃと受信機Ｒｅｃとの間のチャネルを推定し、データがマッピングされたサブキャリアのための補間を実行する。
【０１３２】
ここで、少なくとも１つのパイロット系列は、サンプリング周期の半分だけ時間的にシフトされることに留意されたい。
【０１３３】
チャネル推定モジュール７０２の出力は、等化係数計算モジュール７０３に与えられる。
【０１３４】
等化係数計算モジュール７０３は、チャネル推定モジュール７０２によって与えられる信頼性情報を考慮に入れて、また本発明の特定の実現形態では、雑音＋干渉電力推定モジュール７０４によって与えられる雑音＋干渉電力の推定値も考慮に入れて、等化係数を求める。
【０１３５】
実現形態の１つの変形では、雑音＋干渉電力推定モジュール７０４は存在しない。雑音＋干渉電力は所定の値に設定されるか、又は、シンボルを転送するために発信源Ｓｒｃによって用いられる変調及び／又は符号化率に従って規定される。
【０１３６】
係数ｇkは、通常は、所与のＳＣ−ＯＦＤＭシンボルの各サブキャリアについて求められる。ただし、ｋはサブキャリアのインデックスである。
【０１３７】
求められた係数は、Ｎｕｌｌ化等化係数モジュール７０５に与えられる。
【０１３８】
Ｎｕｌｌ化等化係数モジュール７０５は、パンクチャリングの逆演算、すなわちデパンクチャリングを実行する。データが抑制されたサブキャリアにおいて、「ゴースト」（または架空の、たとえば、０）シンボルが挿入され、対応する信頼性情報は０に設定される。これにより、等化モジュール７０６がデパンクチャリングを正確に取り扱えるようになる。ここで、デパンクチャリングは、逆拡散に先だって、すなわち、拡散されたシンボル上で実行されることに留意されたい。
【０１３９】
Ｎｕｌｌ化等化係数モジュール７０５は、係数ｇ’kを与える。
【０１４０】
たとえば、ＭＭＳＥ等化器７０３及び７０６の重要な事例を考えよう。インデックスｋのサブキャリアの場合にｈkに等しいチャネル周波数応答を仮定し、かつσ2に等しい雑音＋干渉電力を仮定することによって、等化乗算係数は以下の式に等しくなる。
【０１４１】
【数５】
0005986355.tif 000006
【０１４２】
ただし、上付き記号「＾」は、インデックスｋのサブキャリアのチャネル周波数応答ｈkの推定値、又は雑音＋干渉分散の推定値を示す。サブキャリアに対してＮｕｌｌ信頼性情報が設定される場合には、ｇ’k＝０であり、他の場合には、ｇ’k＝ｇkである。
【０１４３】
等化モジュール７０６は、受信拡散データｙkを係数ｇ’kと乗算する。
【０１４４】
等化されたシンボルは、逆拡散モジュール７０７によって逆拡散される。
【０１４５】
逆拡散モジュール７０７の出力はフレームデマルチプレクサに接続され、フレームデマルチプレクサは、等化されて逆拡散されたシンボルを逆多重化する。
【０１４６】
フレームデマルチプレクサ７０８の出力は復号器７０９に接続され、復号器は少なくともデータのデインターリーブ及び復号を行う。
【０１４７】
図８は、本発明による、発信源によって実行されるアルゴリズムの一例を開示する。
【０１４８】
本アルゴリズムは、発信源Ｓｒｃのプロセッサ２００によって実行される。
【０１４９】
ステップＳ８００において、プロセッサ２００は、発信源Ｓｒｃによってデータが転送されるべきであると通知される。
【０１５０】
次のステップＳ８０１において、プロセッサ２００は、転送されるデータを処理するように指示する。
【０１５１】
転送されるデータはインターリーブされ、符号化され、データ基本シンボルとして編成される。
【０１５２】
実現形態の１つの変形では、２つのデータ基本シンボルのうちの１つに対して、所定の角度値のコンスタレーションシフトが実行される。
【０１５３】
変調が４相位相変調である場合には、所定の値は４５に等しい。
【０１５４】
次のステップＳ８０２において、プロセッサ２００は、ＤＦＴモジュールによって、データ基本シンボルを時間領域から周波数領域に拡散するように指示する。
【０１５５】
次のステップＳ８０３において、プロセッサ２００は、データ基本シンボルをパンクチャリングするように指示する。周波数領域において拡散されたデータ基本シンボルがパンクチャリングされる。
【０１５６】
次のステップＳ８０４において、プロセッサ２００は、少なくとも１つのパイロット系列を取得する。各パイロット系列は、そのような系列にわたってＤＦＴを実行した後にも、概ね一定の振幅が得られるという特性を有する。
【０１５７】
本発明の特定の実現形態によれば、入手された各パイロット系列は、サンプリング周期持続時間の半分だけシフトされる。
【０１５８】
次のステップＳ８０５において、プロセッサ２００は、拡散されたデータのパンクチャリングされた部分を少なくとも１つのパイロット系列に置き換える。パイロット系列は、パンクチャリングされたデータ部分がパンクチャリングされなかったならばマッピングされるはずであった、周波数帯域内に含まれるサブキャリア上にマッピングされる。
【０１５９】
次のステップＳ８０６において、ステップＳ８０５によって与えられた信号は、１つ又は複数のアンテナを通して転送されるのに先だってＯＦＤＭ変調される。
【０１６０】
発信源Ｓｒｃの１つ又は複数のアンテナを通して送信する前に、オプションのサイクリックプレフィックス挿入モジュールを適用することもできる。
【０１６１】
図９は、本発明による、受信機によって実行されるアルゴリズムの一例を開示する。
【０１６２】
本アルゴリズムは、受信機Ｒｅｃのプロセッサ６００によって実行される。
【０１６３】
ステップＳ９００において、プロセッサ６００は、受信シンボルを表す信号で構成されるフレームが受信されたことを通知される。
【０１６４】
次のステップＳ９０１において、プロセッサ６００は、受信シンボルを処理するように指示する。受信シンボルは、ＤＦＴによって時間領域から周波数領域に変換され、チャネル推定モジュールに与えられる。
【０１６５】
次のステップＳ９０２において、プロセッサ６００は、受信フレーム内の少なくとも１つのパイロット系列の位置を取得する。
【０１６６】
次のステップＳ９０３において、プロセッサ６００は、等化係数を与えるために、発信源Ｓｒｃと受信機Ｒｅｃとの間のチャネルを推定するように指示する。
【０１６７】
このステップにおいて、チャネル推定モジュール７０２によって与えられる信頼性情報を考慮に入れて、また、本発明の特定の実現形態では、雑音＋干渉電力推定モジュール７０４によって与えられる雑音＋干渉電力の推定値も考慮に入れて、等化係数が求められる。
【０１６８】
次のステップＳ９０４において、プロセッサ６００は、パイロット系列の位置にゴーストデータを挿入するように指示する。すなわち、発信源Ｓｒｃにおいて実行されるデータのパンクチャリングと逆の演算を実行する。
【０１６９】
データがパンクチャリングされたサブキャリアにおいて、「ゴースト」（または架空の、たとえば、０）シンボルと呼ばれる要素が挿入され、対応する信頼性情報は０に設定される。これにより、デパンクチャリングを正確に取り扱えるようになる。
【０１７０】
次のステップＳ９０５において、プロセッサ６００は、リンクを等化するように指示する。
【０１７１】
リンクの等化は、データがマッピングされるサブキャリア上において、及び、要素がマッピングされた各サブキャリア上において、実行される。
【０１７２】
次のステップＳ９０５において、プロセッサ６００は、等化されたシンボルを逆拡散するように指示する。
【０１７３】
当然のことながら、本発明の範囲から逸脱することなく、上記の本発明の実施形態に対して数多くの変更を行なうことができる。
【図１】
0005986355.tif 000007
【図２】
0005986355.tif 000008
【図３】
0005986355.tif 000009
【図４】
0005986355.tif 000010
【図５ａ】
0005986355.tif 000011
【図５ｂ】
0005986355.tif 000012
【図６】
0005986355.tif 000013
【図７】
0005986355.tif 000014
【図８】
0005986355.tif 000015
【図９】
0005986355.tif 000016